Podtech/llm-jp-corpus-v4-ja_patent huggingface dataset:
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行った後、遊技者に有利な有利遊技状態に制御する場合と、前記有利遊技状態に制御しない場合とがある遊技機において、
演出を行うことが可能な演出実行手段を備え、
前記演出実行手段は、
前記特別遊技後に前記有利遊技状態になることを示唆する第１結果又は前記特別遊技後に前記有利遊技状態にならないことを示唆する第２結果に分岐する特定演出を実行可能であり、
前記特定演出において、第１パターンの演出を実行するときと、前記第１パターンよりも前記第１結果に分岐し難い第２パターンの演出を実行してから前記第１パターンの演出を実行するときとがあることを特徴とする遊技機。
【請求項２】
請求項１に記載の遊技機であって、
前記第２パターンの演出を実行しないで前記第１パターンの演出を実行するときと、前記第２パターンの演出を実行してから前記第１パターンの演出を実行するときとで、前記第１結果に分岐する確率が異なることを特徴とする遊技機。
【請求項３】
請求項１又は請求項２に記載の遊技機であって、
前記特定演出は、前記有利遊技状態において実行される演出であって、前記第１結果である成功に分岐することで前記有利遊技状態が継続することを示唆し、前記第２結果である失敗に分岐することで前記有利遊技状態が終了することを示唆する演出であることを特徴とする遊技機。
【請求項４】
請求項３に記載の遊技機であって、
前記有利遊技状態は、通常確率状態よりも前記特別遊技を行うと判定され易い高確率状態であることを特徴とする遊技機。
【請求項５】
遊技者に有利な特別遊技を実行可能な遊技機において、
演出を行うことが可能な演出実行手段を備え、
前記演出実行手段は、
前記特別遊技が行われることを示唆する第１結果又は前記特別遊技が行われないことを示唆する第２結果に分岐する特定演出を実行可能であり、
前記特定演出において、第１パターンの演出を実行するときと、前記第１パターンよりも前記第１結果に分岐し難い第２パターンの演出を実行してから前記第１パターンの演出を実行するときとがあることを特徴とする遊技機。
【請求項６】
請求項５に記載の遊技機であって、
前記第２パターンの演出を実行しないで前記第１パターンの演出を実行するときと、前記第２パターンの演出を実行してから前記第１パターンの演出を実行するときとで、前記第１結果に分岐する確率が異なることを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技を行った後、遊技者に有利な有利遊技状態に制御する場合と、前記有利遊技状態に制御しない場合とがある遊技機において、
演出を行うことが可能な演出実行手段を備え、
前記演出実行手段は、
前記特別遊技後に前記有利遊技状態になることを示唆する第１結果又は前記特別遊技後に前記有利遊技状態にならないことを示唆する第２結果に分岐する特定演出を実行可能であり、
前記特定演出において、第１パターンの演出を実行するときと、前記第１パターンよりも前記第１結果に分岐し難い第２パターンの演出を実行してから前記第１パターンの演出を実行するときとがあることを特徴とする遊技機である。
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行った後、遊技者に有利な有利遊技状態に制御する場合と、前記有利遊技状態に制御しない場合とがある遊技機において、
演出を行うことが可能な演出実行手段を備え、
前記演出実行手段は、
前記特別遊技後に前記有利遊技状態になることを示唆する第１結果又は前記特別遊技後に前記有利遊技状態にならないことを示唆する第２結果に分岐する特定演出を実行可能であり、
前記特定演出において、第１演出を実行するときと、前記第１演出よりも前記第１結果に分岐し易い第２演出を実行するときとがあることを特徴とする遊技機。
【請求項２】
請求項１に記載の遊技機であって、
前記演出実行手段は、
所定の第１パターンよりも前記第１結果に分岐し難い第２パターンの演出として、前記第１演出と、前記第２演出を実行するものであり、
前記特定演出において前記第２パターンから前記第２パターンよりも前記第１結果に分岐し易い他のパターンあるいは前記第１パターンに変更するパターン変更を行うことがあることを特徴とする遊技機。
【請求項３】
請求項２に記載の遊技機であって、
前記演出実行手段は、前記第２パターンにおいて前記第１演出と前記第２演出の何れが実行されるかを煽る煽り演出を実行可能であることを特徴とする遊技機。
【請求項４】
請求項３に記載の遊技機であって、
前記演出実行手段は、前記煽り演出を実行した後、前記第１演出、前記第２演出、又は前記パターン変更のいずれかを行うことを特徴とする遊技機。
【請求項５】
請求項４に記載の遊技機であって、
前記煽り演出には、前記第１演出が実行される可能性が高いことを示唆する通常煽り演出と、前記第２演出が実行される可能性が高いことを示唆する特別煽り演出とがあることを特徴とする遊技機。
【請求項６】
請求項５に記載の遊技機であって、
前記演出実行手段は、前記通常煽り演出を実行した後、前記パターン変更を行うことがあることを特徴とする遊技機。
【請求項７】
請求項６に記載の遊技機であって、
前記演出実行手段は、前記特別煽り演出を実行した後、前記パターン変更を行うことがあり、
前記通常煽り演出が実行された場合と、前記特別煽り演出が実行された場合とで、前記パターン変更が行われる確率が異なることを特徴とする遊技機。
【請求項８】
請求項１から請求項７までのいずれかに記載の遊技機であって、
前記特定演出は、前記有利遊技状態において実行される演出であって、前記第１結果である成功に分岐することで前記有利遊技状態が継続することを示唆し、前記第２結果である失敗に分岐することで前記有利遊技状態が終了することを示唆する演出であることを特徴とする遊技機。
【請求項９】
請求項８に記載の遊技機であって、
前記有利遊技状態は、通常確率状態よりも前記特別遊技を行うと判定され易い高確率状態であることを特徴とする遊技機。
【請求項１０】
遊技者に有利な特別遊技を実行可能な遊技機において、
演出を行うことが可能な演出実行手段を備え、
前記演出実行手段は、
前記特別遊技が行われることを示唆する第１結果又は前記特別遊技が行われないことを示唆する第２結果に分岐する特定演出を実行可能であり、
前記特定演出において、第１演出を実行するときと、前記第１演出よりも前記第１結果に分岐し易い第２演出を実行するときとがあることを特徴とする遊技機。
【請求項１１】
請求項１０に記載の遊技機であって、
前記演出実行手段は、
所定の第１パターンよりも前記第１結果に分岐し難い第２パターンの演出として、前記第１演出と、前記第２演出を実行するものであり、
前記特定演出において前記第２パターンから前記第２パターンよりも前記第１結果に分岐し易い他のパターンあるいは前記第１パターンに変更するパターン変更を行うことがあることを特徴とする遊技機。
【請求項１２】
請求項１１に記載の遊技機であって、
前記演出実行手段は、前記第２パターンにおいて前記第１演出と前記第２演出の何れが実行されるかを煽る煽り演出を実行可能であることを特徴とする遊技機。
【請求項１３】
請求項１２に記載の遊技機であって、
前記演出実行手段は、前記煽り演出を実行した後、前記第１演出、前記第２演出、又は前記パターン変更のいずれかを行うことを特徴とする遊技機。
【請求項１４】
請求項１３に記載の遊技機であって、
前記煽り演出には、前記第１演出が実行される可能性が高いことを示唆する通常煽り演出と、前記第２演出が実行される可能性が高いことを示唆する特別煽り演出とがあることを特徴とする遊技機。
【請求項１５】
請求項１４に記載の遊技機であって、
前記演出実行手段は、前記通常煽り演出を実行した後、前記パターン変更を行うことがあることを特徴とする遊技機。
【請求項１６】
請求項１５に記載の遊技機であって、
前記演出実行手段は、前記特別煽り演出を実行した後、前記パターン変更を行うことがあり、
前記通常煽り演出が実行された場合と、前記特別煽り演出が実行された場合とで、前記パターン変更が行われる確率が異なることを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技を行った後、遊技者に有利な有利遊技状態に制御する場合と、前記有利遊技状態に制御しない場合とがある遊技機において、
演出を行うことが可能な演出実行手段を備え、
前記演出実行手段は、
前記特別遊技後に前記有利遊技状態になることを示唆する第１結果又は前記特別遊技後に前記有利遊技状態にならないことを示唆する第２結果に分岐する特定演出を実行可能であり、
前記特定演出において、第１演出を実行するときと、前記第１演出よりも前記第１結果に分岐し易い第２演出を実行するときとがあることを特徴とする遊技機である。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段と、
前記遊技制御手段が行う制御に関する設定値を設定または確認するために操作される設定操作手段と、
を備える遊技機であって、
前記遊技制御手段は、
前記遊技機への電源投入時に実行される電源投入時処理と、所定の第１周期毎に実行される第１定期処理と、所定の第２周期毎に実行される第２定期処理とを実行可能とし、
前記電源投入時処理において、前記設定操作手段において設定操作に伴う操作が行われているか否かを判定し、
前記設定操作手段において設定操作に伴う操作が行われていると判定した場合には、当該操作状態に応じて、第１状態または前記第１状態とは異なる第２状態に対応する処理を実行し、
前記設定操作手段において設定操作に伴う操作が行われていないと判定した場合には、前記第１状態及び前記第１状態とは異なる第２状態に対応する処理を行うことなく、通常の遊技開始処理を実行可能とし、
前記第１定期処理は、前記電源投入時処理において、前記第１状態及び前記第１状態とは異なる第２状態に対応する処理を実行した後に実行され、
前記第２定期処理は、前記電源投入時処理において、通常の遊技開始処理を実行可能とした後に実行されることを特徴とする遊技機。
【請求項２】
請求項１の遊技機であって、
前記第１状態は、前記設定値を変更可能な設定変更状態であり、
前記第２状態は、前記設定値を変更不能な設定確認状態である
ことを特徴とする遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う遊技制御手段と、前記遊技制御手段が行う制御に関する設定値を設定または確認するために操作される設定操作手段と、を備える遊技機であって、前記遊技制御手段は、前記遊技機への電源投入時に実行される電源投入時処理と、所定の第１周期毎に実行される第１定期処理と、所定の第２周期毎に実行される第２定期処理とを実行可能とし、前記電源投入時処理において、前記設定操作手段において設定操作に伴う操作が行われているか否かを判定し、前記設定操作手段において設定操作に伴う操作が行われていると判定した場合には、当該操作状態に応じて、第１状態または前記第１状態とは異なる第２状態に対応する処理を実行し、前記設定操作手段において設定操作に伴う操作が行われていないと判定した場合には、前記第１状態及び前記第１状態とは異なる第２状態に対応する処理を行うことなく、通常の遊技開始処理を実行可能とし、前記第１定期処理は、前記電源投入時処理において、前記第１状態及び前記第１状態とは異なる第２状態に対応する処理を実行した後に実行され、前記第２定期処理は、前記電源投入時処理において、通常の遊技開始処理を実行可能とした後に実行されることを特徴とする遊技機（例えば、段落１１５３〜段落２００４、図１２９〜図２１２などを参照）。
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
複数種類の画像を表示可能な第１表示領域および第２表示領域を備える表示手段と、を備えた遊技機であって、
前記第１表示領域に表示される画像の一つは、特定の画像であり、
前記第２表示領域に表示される画像の一つは、前記操作手段の外観を表す操作部画像であり、
前記第２表示領域に表示される画像の一つは、前記操作手段を操作することを示唆する操作示唆画像であり、
前記操作手段は、少なくとも一部分が往復移動するように構成されており、
前記第２表示領域に前記操作部画像と前記操作示唆画像が表示され、前記第１表示領域に前記特定の画像が表示された状態で、前記特定の画像が往復移動する第１の演出と、
前記第１の演出の後、前記第２表示領域から前記操作部画像と前記連続操作示唆画像の表示が消える第２の演出と、をおこなう、
ことを特徴とする遊技機。
【手続補正２】
【補正対象書類名】明細書
【補正対象項目名】０００８
【補正方法】変更
【補正の内容】
【０００８】
[適用例１]
遊技者が操作可能な操作手段と、
複数種類の画像を表示可能な第１表示領域および第２表示領域を備える表示手段と、を備えた遊技機であって、
前記第１表示領域に表示される画像の一つは、特定の画像であり、
前記第２表示領域に表示される画像の一つは、前記操作手段の外観を表す操作部画像であり、
前記第２表示領域に表示される画像の一つは、前記操作手段を操作することを示唆する操作示唆画像であり、
前記操作手段は、少なくとも一部分が往復移動するように構成されており、
前記第２表示領域に前記操作部画像と前記操作示唆画像が表示され、前記第１表示領域に前記特定の画像が表示された状態で、前記特定の画像が往復移動する第１の演出と、
前記第１の演出の後、前記第２表示領域から前記操作部画像と前記連続操作示唆画像の表示が消える第２の演出と、をおこなう、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
複数種類の画像を表示可能な第１表示領域および第２表示領域を備える表示手段と、を備えた遊技機であって、
前記第１表示領域に表示される画像の一つは、第１特定画像であり、
前記第１表示領域に表示される画像の一つは、第２特定画像であり、
前記第２表示領域に表示される画像の一つは、前記操作手段の外観を表す操作部画像であり、
前記第２表示領域に表示される画像の一つは、前記操作手段を操作することを示唆する操作示唆画像であり、
前記操作手段は、少なくとも一部分が往復移動するように構成されており、
前記第２表示領域に前記操作部画像と前記操作示唆画像が表示され、前記第１表示領域に前記第１特定画像と前記第２特定画像が表示された状態で、前記第１特定画像が往復移動し、前記第２特定画像が前記遊技手段の操作にともに態様が変化する演出をおこなう、
ことを特徴とする遊技機。
【手続補正２】
【補正対象書類名】明細書
【補正対象項目名】０００８
【補正方法】変更
【補正の内容】
【０００８】
[適用例１]
遊技者が操作可能な操作手段と、
複数種類の画像を表示可能な第１表示領域および第２表示領域を備える表示手段と、を備えた遊技機であって、
前記第１表示領域に表示される画像の一つは、第１特定画像であり、
前記第１表示領域に表示される画像の一つは、第２特定画像であり、
前記第２表示領域に表示される画像の一つは、前記操作手段の外観を表す操作部画像であり、
前記第２表示領域に表示される画像の一つは、前記操作手段を操作することを示唆する操作示唆画像であり、
前記操作手段は、少なくとも一部分が往復移動するように構成されており、
前記第２表示領域に前記操作部画像と前記操作示唆画像が表示され、前記第１表示領域に前記第１特定画像と前記第２特定画像が表示された状態で、前記第１特定画像が往復移動し、前記第２特定画像が前記遊技手段の操作にともに態様が変化する演出をおこなう、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
複数種類の画像を表示可能な第１表示領域および第２表示領域を備える表示手段を備えた遊技機であって、
前記複数種類の画像のうちの一つは、特定の対象を表した特定画像であり、
前記第１表示領域の端部に前記特定画像が接した状態で、前記第１表示領域に前記特定画像が表示される第１の演出と、
前記第１の演出の後、前記第１表示領域の前記端部に前記特定画像が継続して接した状態で、前記特定画像が前記第１表示領域と前記第２表示領域の両方にまたがって表示される第２の演出と、
前記第２の演出の後、前記第２表示領域に表示される保留アイコンが変化する第３の演出と、
前記第１表示領域と前記第２表示領域の両方から前記特定画像の表示が消える第４の演出と、を実行可能な、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な第１表示領域および第２表示領域を備える表示手段を備えた遊技機であって、
前記複数種類の画像のうちの一つは、特定の対象を表した特定画像であり、
前記第１表示領域の端部に前記特定画像が接した状態で、前記第１表示領域に前記特定画像が表示される第１の演出と、
前記第１の演出の後、前記第１表示領域の前記端部に前記特定画像が継続して接した状態で、前記特定画像が前記第１表示領域と前記第２表示領域の両方にまたがって表示される第２の演出と、
前記第２の演出の後、前記第２表示領域に表示される保留アイコンが変化する第３の演出と、
前記第１表示領域と前記第２表示領域の両方から前記特定画像の表示が消える第４の演出と、を実行可能な、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
複数種類の画像を表示可能な第１表示領域および第２表示領域を備える表示手段を備えた遊技機であって、
前記第１表示領域に表示される画像の一つは、特定の対象を表す特定画像であり、
前記第２表示領域に表示される画像の一つは、前記特定画像であり、
前記第２表示領域に表示される画像の一つは、当否を報知可能な一組の装飾図柄であり、
前記第２表示領域に前記一組の装飾図柄が停止表示された状態で、前記第１表示領域と前記第２表示領域のそれぞれの表示領域の両側から前記特定画像が現れ、現れた前記特定画像がぞれぞれの表示領域の内側に向かって移動し、一部の前記特定画像が停止表示された前記一組の装飾図柄の少なくとも一部と重なる第１の演出をおこない、
前記第１の演出では、前記特定画像は前記一組の装飾図柄の少なくとも一部と重なるとき、前記一組の装飾図柄の前面側に表示される、
ことを特徴とする遊技機。
【手続補正２】
【補正対象書類名】明細書
【補正対象項目名】０００８
【補正方法】変更
【補正の内容】
【０００８】
[適用例１]
複数種類の画像を表示可能な第１表示領域および第２表示領域を備える表示手段を備えた遊技機であって、
前記第１表示領域に表示される画像の一つは、特定の対象を表す特定画像であり、
前記第２表示領域に表示される画像の一つは、前記特定画像であり、
前記第２表示領域に表示される画像の一つは、当否を報知可能な一組の装飾図柄であり、
前記第２表示領域に前記一組の装飾図柄が停止表示された状態で、前記第１表示領域と前記第２表示領域のそれぞれの表示領域の両側から前記特定画像が現れ、現れた前記特定画像がぞれぞれの表示領域の内側に向かって移動し、一部の前記特定画像が停止表示された前記一組の装飾図柄の少なくとも一部と重なる第１の演出をおこない、
前記第１の演出では、前記特定画像は前記一組の装飾図柄の少なくとも一部と重なるとき、前記一組の装飾図柄の前面側に表示される、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
複数種類の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記第１の表示演出は、複数の先読み演出の一つとしての第１の態様の先読み演出であり、
前記第２の表示演出は、複数の先読み演出の一つとしての第２の態様の先読み演出であり、
前記第１の態様の先読み演出は、装飾図柄を用いた先読み演出であり、
前記第２の態様の先読み演出は、装飾図柄を用いない先読み演出であり、
前記第１の表示演出と前記第２の表示演出とを含む組み合わせ演出がおこなわれる場合があり、
前記組み合わせ演出では、前記第１の表示演出がおこなわれ、前記第２の表示演出は、前記第１の表示演出が開始された変動よりも後の変動で開始され、前記第２の表示演出が開始された後、前記第１の表示演出の第１の態様の先読み演出が終了し、前記第２の表示演出の第２の態様の先読み演出は、前記第１の態様の先読み演出が終了した変動よりも後の変動であって、先読み対象の保留表示に対応する変動がおこなわれるまで継続して終了し、前記第１の態様の先読み演出と前記第２の態様の先読み演出とは同じ保留を対象として先読みがおこなわれる、
ことを特徴とする遊技機。
【手続補正２】
【補正対象書類名】明細書
【補正対象項目名】０００８
【補正方法】変更
【補正の内容】
【０００８】
[適用例１]
複数種類の表示演出を実行可能な表示手段を備える遊技機であって、
前記複数の表示演出のうちの一つの演出として、第１の表示演出をおこなう場合があり、
前記複数の表示演出のうちの一つの演出として、第２の表示演出をおこなう場合があり、
前記第１の表示演出は、複数の先読み演出の一つとしての第１の態様の先読み演出であり、
前記第２の表示演出は、複数の先読み演出の一つとしての第２の態様の先読み演出であり、
前記第１の態様の先読み演出は、装飾図柄を用いた先読み演出であり、
前記第２の態様の先読み演出は、装飾図柄を用いない先読み演出であり、
前記第１の表示演出と前記第２の表示演出とを含む組み合わせ演出がおこなわれる場合があり、
前記組み合わせ演出では、前記第１の表示演出がおこなわれ、前記第２の表示演出は、前記第１の表示演出が開始された変動よりも後の変動で開始され、前記第２の表示演出が開始された後、前記第１の表示演出の第１の態様の先読み演出が終了し、前記第２の表示演出の第２の態様の先読み演出は、前記第１の態様の先読み演出が終了した変動よりも後の変動であって、先読み対象の保留表示に対応する変動がおこなわれるまで継続して終了し、前記第１の態様の先読み演出と前記第２の態様の先読み演出とは同じ保留を対象として先読みがおこなわれる、
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
少なくとも一つの印刷装置を有する印刷拠点の印刷装置を管理する情報処理装置であって、
前記少なくとも一つの印刷装置の色確認作業で使用する、ユーザが指定したカスタム色を追加する追加手段と、
前記追加手段により追加された前記カスタム色の色確認設定の入力プロファイルを特定する特定手段と、
前記特定手段により特定された前記入力プロファイルに対する標準色による第１色確認設定と、前記入力プロファイルに基づく前記カスタム色による第２色確認設定とを設定する設定手段と、
前記設定手段により設定された前記第１及び第２色確認設定に従って前記少なくとも一つの印刷装置に対して前記色確認作業を指示する指示手段と、
を有することを特徴とする情報処理装置。
【請求項２】
前記追加手段は、前記カスタム色を印刷用のデータから抽出して追加することを特徴とする請求項１に記載の情報処理装置。
【請求項３】
前記追加手段は、インポートされたＣＭＹＫ値に基づいて前記カスタム色を追加することを特徴とする請求項１に記載の情報処理装置。
【請求項４】
前記追加手段は、ユーザにより入力されたパッチチャートのＣＭＹＫ値に基づいて前記カスタム色を追加することを特徴とする請求項１に記載の情報処理装置。
【請求項５】
前記特定手段は、前記少なくとも一つの印刷装置に紐づけられている色確認設定の入力プロファイルから、ユーザにより選択された入力プロファイルを前記カスタム色の色確認設定の入力プロファイルとして特定することを特徴とする請求項１乃至４のいずれか１項に記載の情報処理装置。
【請求項６】
前記特定手段による前記カスタム色の色確認設定の入力プロファイルの特定を自動で行うか否かをユーザに選択させる第１選択手段を、更に有することを特徴とする請求項５に記載の情報処理装置。
【請求項７】
前記設定手段は、前記特定手段により特定された前記入力プロファイルに対する標準色を、前記色確認作業に追加するよう設定することにより前記第１色確認設定と前記第２色確認設定とを設定することを特徴とする請求項１乃至６のいずれか１項に記載の情報処理装置。
【請求項８】
前記設定手段が、前記入力プロファイルに対する標準色を前記色確認作業に追加するかどうかを、ユーザに選択させる第２選択手段を、更に有することを特徴とする請求項７に記載の情報処理装置。
【請求項９】
前記指示手段による指示に応じて前記少なくとも一つの印刷装置から送信される測色データと、当該印刷装置に対して設定されている判定基準用の閾値とに基づいて、当該印刷装置の色状態を判定する判定手段を、更に有することを特徴とする請求項１乃至８のいずれか１項に記載の情報処理装置。
【請求項１０】
前記判定手段は、前記第１色確認設定と前記第２色確認設定の色確認作業に対して個別に設定された閾値に基づいて前記印刷装置の色状態を判定し、前記第１色確認設定と前記第２色確認設定の色確認作業の両方で判定基準を満たした場合に、前記印刷装置の色状態が適正と判定することを特徴とする請求項９に記載の情報処理装置。
【請求項１１】
前記第１色確認設定と前記第２色確認設定の色確認作業に対して個別に設定された閾値に基づいて前記印刷装置の色状態を判定した結果を表示する表示手段を、更に有することを特徴とする請求項１乃至１０のいずれか１項に記載の情報処理装置。
【請求項１２】
前記表示手段は、前記カスタム色及び前記標準色のそれぞれに対する前記印刷装置の色状態を判定した結果を表示することを特徴とする請求項１１に記載の情報処理装置。
【請求項１３】
請求項１乃至１２のいずれか１項に記載の情報処理装置と、印刷拠点に配置された印刷装置を有する色管理システムであって、
前記印刷装置は、
前記色確認作業として、前記第１及び第２色確認設定に従ってチャートを印刷し、当該チャートを測色した値を前記色確認作業の結果として前記情報処理装置に送信することを特徴とする色管理システム。
【請求項１４】
コンピュータを、請求項１乃至１２のいずれか１項に記載の情報処理装置の各手段として機能させるためのプログラム。
【手続補正２】
【補正対象書類名】明細書
【補正対象項目名】００１５
【補正方法】変更
【補正の内容】
【００１５】
上記目的を達成するために本発明の一態様に係る情報処理装置は以下のような構成を備える。即ち、
少なくとも一つの印刷装置を有する印刷拠点の印刷装置を管理する情報処理装置であって、
前記少なくとも一つの印刷装置の色確認作業で使用する、ユーザが指定したカスタム色を追加する追加手段と、
前記追加手段により追加された前記カスタム色の色確認設定の入力プロファイルを特定する特定手段と、
前記特定手段により特定された前記入力プロファイルに対する標準色による第１色確認設定と、前記入力プロファイルに基づく前記カスタム色による第２色確認設定とを設定する設定手段と、
前記設定手段により設定された前記第１及び第２色確認設定に従って前記少なくとも一つの印刷装置に対して前記色確認作業を指示する指示手段と、を有することを特徴とする。
【手続補正３】
【補正対象書類名】明細書
【補正対象項目名】００６９
【補正方法】変更
【補正の内容】
【００６９】
＜色確認処理結果の表示＞
カラーエキスパートの操作を受けて、拠点管理端末２１１は、拠点内に設置された印刷装置の色状態情報の取得要求を拠点管理サーバ１０２に送信する（ＦＴ＿Ｓ０２）。これを受けて、拠点管理サーバ１０２は、データ管理部７０４に保持する拠点内に設置される印刷装置２０３の色状態情報を取得し（Ｓ１００３）、これを拠点管理端末２１１へ送信してＵＩに表示させる（ＦＳ＿Ｓ０４）。
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
外部装置と印刷装置とを含む色管理システムであって、
前記外部装置は、
少なくとも用紙情報を含み、色確認作業のために設定された色確認設定と、前記色確認作業のために設定された色確認実行条件とを前記印刷装置に送信し、
前記印刷装置は、
前記外部装置から前記色確認設定と前記色確認実行条件とを受信する受信手段と、
前記色確認実行条件を満たしたことに応じて、前記色確認設定に含まれる用紙情報に対応する用紙にチャート画像を印刷する印刷手段と、
前記用紙に印刷されたチャート画像を測色する測色手段と、
前記チャート画像の測色で得られたデータを前記外部装置に送信する送信手段と、
を有することを特徴とする色管理システム。
【請求項２】
前記色確認設定は、前記チャート画像に含まれるパッチの数及び前記パッチの色を含むことを特徴とする請求項１に記載の色管理システム。
【請求項３】
前記色確認設定は、目標値の識別情報、及び前記目標値に対応するパッチ数を含むことを特徴とする請求項１又は２に記載の色管理システム。
【請求項４】
前記色確認実行条件は、前記色確認作業を実行する日時、又は、前記色確認作業を実行する間隔を、印刷された用紙の枚数で示す印刷用紙間隔を含むことを特徴とする請求項１乃至３のいずれか１項に記載の色管理システム。
【請求項５】
外部装置と接続可能な印刷装置であって、
色確認作業のために設定された色確認設定と色確認実行条件とを前記外部装置から受信する受信手段と、
前記色確認実行条件を満たしたことに応じて、前記色確認設定に含まれる用紙情報に対応する用紙にチャート画像を印刷する印刷手段と、
前記用紙に印刷されたチャート画像を測色する測色手段と、
前記チャート画像の測色で得られたデータを前記外部装置に送信する送信手段と、
を有することを特徴とする印刷装置。
【請求項６】
前記色確認設定は、前記チャート画像に含まれるパッチの数及び前記パッチの色を含むことを特徴とする請求項５に記載の印刷装置。
【請求項７】
前記色確認設定は、目標値の識別情報、及び前記目標値に対応するパッチ数を含むことを特徴とする請求項５又は６に記載の印刷装置。
【請求項８】
前記色確認実行条件は、前記色確認作業を実行する日時、又は、前記色確認作業を実行する間隔を、印刷された用紙の枚数で示す印刷用紙間隔を含むことを特徴とする請求項５乃至７のいずれか１項に記載の印刷装置。
【請求項９】
更に、前記チャート画像の測色で得られたデータを前記外部装置で解析した結果に基づき、前記外部装置から受信した色調整のリクエストに従って色調整処理を実行する色調整手段を、有することを特徴とする請求項５乃至８のいずれか１項に記載の印刷装置。
【請求項１０】
前記色確認設定を記憶する記憶手段と、
前記色確認設定の更新情報を受信すると、前記記憶手段に記憶された色確認設定を更新する更新手段と、
を更に有することを特徴とする請求項５乃至９のいずれか１項に記載の印刷装置。
【請求項１１】
前記受信された更新情報は用紙情報の更新情報であり、前記更新情報に対応する用紙が給紙段に入っているか否かを判定する判定手段と、
前記判定手段により前記用紙が給紙段に入っていないと判定されると、前記用紙の補給を促すメッセージを表示部に表示させる手段と、
を、更に有することを特徴とする請求項１０に記載の印刷装置。
【請求項１２】
外部装置と印刷装置とを含む色管理システムを制御する制御方法であって、
前記外部装置は、
少なくとも用紙情報を含み、色確認作業のために設定された色確認設定と、前記色確認作業のために設定された色確認実行条件とを前記印刷装置に送信し、
前記印刷装置は、
前記外部装置から前記色確認設定と前記色確認実行条件とを受信し、
前記色確認実行条件が満たしたことに応じて、前記色確認設定に含まれる用紙情報に対応する用紙にチャート画像を印刷し、
前記用紙に印刷されたチャート画像を測色し、
前記チャート画像の測色で得られたデータを前記外部装置に送信するように制御することを特徴とする制御方法。
【請求項１３】
外部装置と接続可能な印刷装置を制御する制御方法であって、
色確認作業のために設定された色確認設定と色確認実行条件とを前記外部装置から受信する受信工程と、
前記色確認実行条件を満たしたことに応じて、前記色確認設定に含まれる用紙情報に対応する用紙にチャート画像を印刷する印刷工程と、
前記用紙に印刷されたチャート画像を測色する測色工程と、
前記チャート画像の測色で得られたデータを前記外部装置に送信する送信工程と、
を有することを特徴とする制御方法。
【請求項１４】
前記色確認設定は、前記チャート画像に含まれるパッチの数及び前記パッチの色を含むことを特徴とする請求項１３に記載の制御方法。
【請求項１５】
前記色確認設定は、目標値の識別情報、及び前記目標値に対応するパッチ数を含むことを特徴とする請求項１３又は１４に記載の制御方法。
【請求項１６】
前記色確認実行条件は、前記色確認作業を実行する日時、又は、前記色確認作業を実行する間隔を、印刷された用紙の枚数で示す印刷用紙間隔を含むことを特徴とする請求項１３乃至１５のいずれか１項に記載の制御方法。
【請求項１７】
更に、前記チャート画像の測色で得られたデータを前記外部装置で解析した結果に基づき、前記外部装置から受信した色調整のリクエストに従って色調整処理を実行する色調整工程を、有することを特徴とする請求項１３乃至１６のいずれか１項に記載の制御方法。
【請求項１８】
前記色確認設定を記憶する記憶工程と、
前記色確認設定の更新情報を受信すると、前記記憶工程に記憶された色確認設定を更新する更新工程と、
を更に有することを特徴とする請求項１３乃至１７のいずれか１項に記載の制御方法。
【請求項１９】
前記受信された更新情報は用紙情報の更新情報であり、前記更新情報に対応する用紙が給紙段に入っているか否かを判定する判定工程と、
前記判定工程により前記用紙が給紙段に入っていないと判定されると、前記用紙の補給を促すメッセージを表示部に表示させる工程と、
を、更に有することを特徴とする請求項１８に記載の制御方法。
【請求項２０】
コンピュータに、請求項１３乃至１９のいずれか１項に記載の制御方法の各工程のすべてを実行させるためのプログラム。
【手続補正２】
【補正対象書類名】明細書
【補正対象項目名】００１３
【補正方法】変更
【補正の内容】
【００１３】
上記目的を達成するために本発明の一態様に係る色管理システムは以下のような構成を備える。即ち、
外部装置と印刷装置とを含む色管理システムであって、
前記外部装置は、
少なくとも用紙情報を含み、色確認作業のために設定された色確認設定と、前記色確認作業のために設定された色確認実行条件とを前記印刷装置に送信し、
前記印刷装置は、
前記外部装置から前記色確認設定と前記色確認実行条件とを受信する受信手段と、
前記色確認実行条件を満たしたことに応じて、前記色確認設定に含まれる用紙情報に対応する用紙にチャート画像を印刷する印刷手段と、
前記用紙に印刷されたチャート画像を測色する測色手段と、
前記チャート画像の測色で得られたデータを前記外部装置に送信する送信手段と、を有することを特徴とする。
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
コンピュータに、
同期ポイントＩＤと、同期基準タイミングを基準とした第１のタイミングとを対応付けて格納する第１テーブルと、
第１サブコンテンツを示す情報と、前記同期基準タイミングを基準とした第２のタイミングとを対応づけて格納する第２テーブルであって、前記第２のタイミングは、前記第１のタイミングとは独立して設定される、第２テーブルと、
メインコンテンツの進行に応じて再生される第２サブコンテンツに基づいて、前記第２サブコンテンツに埋め込まれている前記同期ポイントＩＤ、又は前記第２サブコンテンツから抽出した特徴量に対応する前記同期ポイントＩＤを検出する検出機能と、
前記検出された同期ポイントＩＤと前記第１テーブルとに基づき、前記検出された同期ポイントＩＤに対応する前記第１のタイミングを取得し、当該取得した第１のタイミングと前記同期基準タイミングを基準とした前記同期ポイントＩＤの検出タイミングとの差分を取得する取得機能と、
前記第１サブコンテンツについて、前記取得された差分と、前記第２テーブルにおいて前記第１サブコンテンツを示す情報に対応する前記第２のタイミングとに基づき、開始タイミングを判定する判定機能と、
前記判定された第１サブコンテンツの開始タイミングに基づき、前記第１サブコンテンツの再生を制御する制御機能と、を実現させるための、
コンテンツ再生プログラム。
【請求項２】
前記制御機能は、前記第１サブコンテンツに対して再生の前提となる少なくとも一つの前記第２サブコンテンツが設定されている場合、前記前提となる第２サブコンテンツに基づいて前記同期ポイントＩＤが検出されたことを条件に、前記第１サブコンテンツを再生するように制御する
請求項１に記載のコンテンツ再生プログラム。
【請求項３】
前記第１サブコンテンツは、前記第２サブコンテンツと共に前記メインコンテンツの進行に応じて再生されるテキスト情報、音、画像、又は光や振動による演出のコンテンツであり、前記第２サブコンテンツは、前記メインコンテンツの進行に応じて再生される音、画像、又は光による演出のコンテンツである、
請求項１又は２に記載のコンテンツ再生プログラム。
【請求項４】
前記同期ポイントＩＤと、前記第１サブコンテンツを示す情報とを対応付けて格納する第３テーブルと、
前記同期ポイントＩＤが前記検出機能で検出された場合、前記検出された同期ポイントＩＤと前記第３テーブルとに基づき、前記同期ポイントＩＤに対応付けられた前記情報が示す前記第１サブコンテンツの再生を制御する第２制御機能と、を実現させるための、
請求項１から３のいずれか１項に記載のコンテンツ再生プログラム。
【請求項５】
前記第２サブコンテンツから抽出した特徴量は、前記第２サブコンテンツからフィンガープリントとして抽出した特徴量を含む、
請求項１から４のいずれか１項に記載のコンテンツ再生プログラム。
【請求項６】
前記第１サブコンテンツは、第１の種類の第１サブコンテンツと、第２の種類の第１サブコンテンツとを含み、
前記制御機能は、前記第１の種類の第１サブコンテンツと、前記第２の種類の第１サブコンテンツとを並列に再生するように制御する機能を含む、
請求項１から５のいずれか１項に記載のコンテンツ再生プログラム。
【請求項７】
前記制御機能は、前記コンピュータとは別の装置において前記第１サブコンテンツを再生させるように制御する機能を含む、
請求項１から６のいずれか１項に記載のコンテンツ再生プログラム。
【請求項８】
同期ポイントＩＤと、同期基準タイミングを基準とした第１のタイミングとを対応付けて格納する第１テーブルと、
第１サブコンテンツを示す情報と、前記同期基準タイミングを基準とした第２のタイミングとを対応づけて格納する第２テーブルであって、前記第２のタイミングは、前記第１のタイミングとは独立して設定される、第２テーブルと、
メインコンテンツの進行に応じて再生される第２サブコンテンツに基づいて、前記第２サブコンテンツに埋め込まれている前記同期ポイントＩＤ、又は前記第２サブコンテンツから抽出した特徴量に対応する前記同期ポイントＩＤを検出する検出部と、
前記検出された同期ポイントＩＤと前記第１テーブルとに基づき、前記検出された同期ポイントＩＤに対応する前記第１のタイミングを取得し、当該取得した第１のタイミングと前記同期基準タイミングを基準とした前記同期ポイントＩＤの検出タイミングとの差分を取得する取得部と、
前記第１サブコンテンツについて、前記取得された差分と、前記第２テーブルにおいて前記第１サブコンテンツを示す情報に対応する前記第２のタイミングとに基づき、開始タイミングを判定する判定部と、
前記判定された第１サブコンテンツの開始タイミングに基づき、前記第１サブコンテンツの再生を制御する制御部と、
を備える装置。
【請求項９】
コンピュータが、
同期ポイントＩＤと、同期基準タイミングを基準とした第１のタイミングとを対応付けて第１テーブルに格納するステップと、
第１サブコンテンツを示す情報と、前記同期基準タイミングを基準とした第２のタイミングとを対応づけて第２テーブルに格納するステップであって、前記第２のタイミングは、前記第１のタイミングとは独立して設定される、ステップと、
メインコンテンツの進行に応じて再生される第２サブコンテンツに基づいて、前記第２サブコンテンツに埋め込まれている前記同期ポイントＩＤ、又は前記第２サブコンテンツから抽出した特徴量に対応する前記同期ポイントＩＤを検出するステップと、
前記検出された同期ポイントＩＤと前記第１テーブルとに基づき、前記検出された同期ポイントＩＤに対応する前記第１のタイミングを取得し、当該取得した第１のタイミングと前記同期基準タイミングを基準とした前記同期ポイントＩＤの検出タイミングとの差分を取得するステップと、
前記第１サブコンテンツについて、前記取得された差分と、前記第２テーブルにおいて前記第１サブコンテンツを示す情報に対応する前記第２のタイミングとに基づき、開始タイミングを判定するステップと、
前記判定された第１サブコンテンツの開始タイミングに基づき、前記第１サブコンテンツの再生を制御するステップと、を含む、
コンテンツ再生方法。
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
第１マイクロホン入力信号（６）を提供するための第１マイクロホン（４）と、
前記第１マイクロホン入力信号を、複数のサブバンド信号に分割するサブバンド分割モジュール（８）と、
第１サブバンド信号の第１信号強度パラメータと、第２サブバンド信号の第２信号強度パラメータとを含む、各サブバンド信号の信号強度パラメータを推定する推定モジュール（１０）と、
前記第１マイクロホン入力信号に、または前記サブバンド信号のそれぞれに、ゲイン低減を適用するとともに、電気出力信号を形成するように構成されたマルチバンドリミッタ（１２）と、
前記マルチバンドリミッタに接続されたリミッタコントローラ（１４）と、
前記電気出力信号を音声信号に変換するレシーバ（１８）と、を有する聴覚保護装置（２）であって、
前記第１サブバンド信号は、前記サブバンド信号のうちの信号強度パラメータが最も低いものであり、
前記リミッタコントローラは、前記第１マイクロホン入力信号の前記サブバンド信号に対するゲイン低減を決定するように構成され、
前記第２サブバンド信号に対する第２ゲイン低減は、前記第１サブバンド信号に対する前記第１信号強度パラメータに基づいており、
前記リミッタコントローラは、前記マルチバンドリミッタを制御して、前記第２ゲイン低減に基づくフィルタ伝達関数を前記第１マイクロホン信号に適用するか、前記第２ゲイン低減を前記第２サブバンド信号に適用するように構成される、聴覚保護装置。
【請求項２】
前記第１マイクロホン入力信号の前記第２サブバンド信号に対する前記第２ゲイン低減は、さらに、前記第２サブバンド信号の前記第２信号強度パラメータに基づいている、請求項１に記載の聴覚保護装置。
【請求項３】
前記第１マイクロホン入力信号の前記サブバンド信号に対するゲイン低減を決定することは、さらに、広帯域信号強度限界に基づいている、請求項１または２に記載の聴覚保護装置。
【請求項４】
前記第１マイクロホン入力信号の前記サブバンド信号に対するゲイン低減を決定することは、前記第２サブバンド信号に対する第２信号強度閾値Ｐ＿ＴＨ＿２を、前記広帯域信号強度限界に基づいて決定することを含む、請求項３に記載の聴覚保護装置。
【請求項５】
前記第２信号強度閾値Ｐ＿ＴＨ＿２は以下のとおり求められ、
【数１】
2019146153.tif 000001
式中、Ｐｌｉｍは広帯域信号強度限界であり、Ｐ１は第１サブバンド信号の第１信号強度パラメータであり、Ｋはサブバンド信号の数であり、ｋは指数である、請求項４に記載の聴覚保護装置。
【請求項６】
前記第１マイクロホン入力信号の前記サブバンド信号に対するゲイン低減を決定することは、前記第２信号強度閾値Ｐ＿ＴＨ＿２が第２ゲイン低減基準を満たす場合には、前記第２信号強度閾値に基づいて前記第２ゲイン低減を決定することを含む、請求項４または５に記載の聴覚保護措置。
【請求項７】
前記第１マイクロホン入力信号の前記サブバンド信号に対するゲイン低減を決定することは、前記第１マイクロホン入力信号の第３サブバンド信号であって、前記第１信号強度パラメータおよび前記第２信号強度パラメータよりも大きい第３信号強度パラメータを有する第３サブバンド信号に対する第３ゲイン低減を決定することを含み、
前記リミッタコントローラは、前記マルチバンドリミッタを制御して、前記第３ゲイン低減を前記第３サブバンド信号に適用するように構成される、請求項１から６のいずれか一項に記載の聴覚保護装置。
【請求項８】
前記第１マイクロホン入力信号の前記サブバンド信号に対するゲイン低減を決定することは、前記第２信号強度閾値Ｐ＿ＴＨ＿２が前記第２ゲイン低減基準を満たす場合には、前記第２信号強度閾値Ｐ＿ＴＨ＿２に基づいて、前記第３ゲイン低減を決定することを含む、請求項６に従属する請求項７に記載の聴覚保護装置。
【請求項９】
前記第１マイクロホン入力信号の前記サブバンド信号に対するゲイン低減を決定することは、前記第２信号強度閾値が前記第２ゲイン低減基準を満たさない場合には、前記広帯域信号強度限界に基づいて第３信号強度閾値Ｐ＿ＴＨ＿３を決定することを含む、請求項４に従属する請求項７または８に記載の聴覚保護措置。
【請求項１０】
前記第１マイクロホン入力信号の前記サブバンド信号に対するゲイン低減を決定することは、前記第３信号強度閾値Ｐ＿ＴＨ＿３が第３ゲイン低減基準を満たす場合には、前記第３信号強度閾値に基づいて前記第３ゲイン低減を決定することを含む、請求項９に記載の聴覚保護装置。
【請求項１１】
前記１つまたは複数の信号強度パラメータはパワーである、請求項１から１０のいずれか一項に記載の聴覚保護装置。
【請求項１２】
聴覚保護装置を動作させる方法（１００）であって、
第１マイクロホン入力信号を取得すること（１０２）と、
前記第１マイクロホン入力信号を複数のサブバンド信号に分割すること（１０４）と、
第１サブバンド信号の第１信号強度パラメータおよび第２サブバンド信号の第２信号強度パラメータを含む各サブバンド信号の信号強度パラメータを推定すること（１０６）と、
前記第２サブバンド信号に対する第２ゲイン低減が、前記第１サブバンド信号の前記第１信号強度パラメータに基づくように前記第１マイクロホン入力信号の各サブバンド信号に対するゲイン低減を決定すること（１０８）と、を含み、
前記第１サブバンド信号は、前記サブバンド信号のうちの信号強度パラメータが最も低いものであり、
前記方法は、前記ゲイン低減を各サブバンド信号に適用すること（１１０）を含む、方法。
【請求項１３】
前記第１マイクロホン入力信号の各サブバンド信号に対するゲイン低減を決定することは、前記サブバンド信号を、信号強度パラメータの昇順でソートされたサブバンド信号のリストにソートすること（１１２）を含み、
前記第１マイクロホン入力信号の各サブバンド信号に対するゲイン低減を決定することは、
指数ｎを初期化すること（１１４）と、
広帯域信号強度限界に基づいてｎ番目の信号強度閾値Ｐ＿ＴＨ＿ｎを決定すること（１１６）と、
ｎ番目の信号強度閾値Ｐ＿ＴＨ＿ｎがｎ番目のゲイン低減基準（Ｐ＿ＴＨ＿ｎ≦Ｐ＿ｎ）を満たさない場合には、指数ｎを増やして（１１８）、広帯域信号強度限界に基づいてｎ番目の信号強度閾値Ｐ＿ＴＨ＿ｎを決定することに戻ることと、を含む、請求項１２に記載の方法。
【請求項１４】
前記ｎ番目の信号強度閾値Ｐ＿ＴＨ＿ｎが前記ｎ番目のゲイン低減基準を満たす場合には、Ｋをサブバンド信号の数として、ｉ＝ｎ、…、Ｋについて、ゲイン低減ＧＲ＿ｉはＰ＿ＴＨ＿ｎ／Ｐ＿ｉとして与えられ、ｉ＝１、…、ｎ−１について、ゲイン低減ＧＲ＿ｉは１に設定されるように、前記ｎ番目の信号強度閾値に基づいて前記サブバンド信号の前記ゲイン低減を決定する（１２２）、請求項１３に記載の方法。